(57)【特許請求の範囲】
【請求項１】
壁面に上下に間隔を置いて設けられたサイディング間に設置される見切り材構造において、
前記壁面に対する取り付け面、同取り付け面に連なる傾斜面、及び同傾斜面に連なり、前記下方サイディングの上端外側にオーバーラップする見切り面を有し、前記上下サイディング間の前記壁面に取り付けられる水切り材と、
同水切り材に取り付けられ、前記上方サイディングの下端外側にオーバーラップする見切り面を有する見切り材とを備え、
前記水切り材の前記見切り面先端を内側に折り曲げた部分に前記下方サイディングの上端に嵌め込む凹部を設け、同凹部を前記下方サイディングの上端に嵌め込むと共に、前記壁面に適宜間隔で取り付けられ、その両端に上下に直角に折り曲げ形成された取り付け面を有する複数のＵ字形固定材に前記見切り材を取り付け、同Ｕ字形固定材の上方に折り曲げ形成された取り付け面に前記見切り材の見切り面の先端に鉤状に形成された係合面を係合させて、同見切り材を設置してなることを特徴とする排水機能を有する見切り材構造。
【請求項２】
壁面に上下に間隔を置いて設けられたサイディング間に設置される見切り材構造において、
前記壁面に対する取り付け面、同取り付け面に連なる傾斜面、及び同傾斜面に連なり、前記下方サイディングの上端外側にオーバーラップする垂直面を有し、前記上方サイディングと間隔を有して前記取り付け面が前記上下サイディング間の壁面に取り付けられる水切り材と、
中央部に設けられた凹部の両端側に、前記上下サイディングの上下端外側にそれぞれオーバーラップするように形成された見切り面を有する見切り材とを備え、
同見切り材の上方の見切り面内側には止水材嵌めこみ部が設けられており、前記止水材嵌め込み部に嵌め込まれた止水材が前記上方サイディングの表面に圧接されるように、前記見切り材を前記凹部にてワッシャを介して前記水切り材の前記垂直面に取り付けてなることを特徴とする排水機能を有する見切り材構造。
【請求項３】
壁面に上下に間隔を置いて設けられたサイディング間に設置される見切り材構造において、
前記壁面に対する取り付け面、同取り付け面に連なる傾斜面、及び同傾斜面に連なり、前記下方サイディングの上端外側にオーバーラップする垂直面を有し、前記上方サイディングと間隔を有して前記取り付け面が同上下サイディング間の前記壁面に止水ワッシャを介して取り付けられる水切り材と、
中央部に設けられた凹部の両端側に、前記上下サイディングの上下端外側にそれぞれオーバーラップするように形成された見切り面を有する見切り材とを備え、
前記見切り面と前記上下サイディングの表面間に隙間が形成されるように、前記見切り材を前記凹部にてワッシャを介して前記水切り材の前記垂直面に取り付けてなることを特徴とする排水機能を有する見切り材構造。
【発明の詳細な説明】
【０００１】
【発明の属する技術分野】
本発明は、建物の壁面に上下に間隔を置いて設けられたサイディング間に設置され、壁面とサイディング間への雨水の浸入を阻止できると共に、その間に浸入した雨水の水抜きができ、かつサイディングの施工時に生ずる上下サイディングの端面の不揃いを覆い隠すことができる、排水機能を有する見切り材構造に関するものである。
【０００２】
【従来の技術】
従来、建物の壁面５１に上下に間隔を置いて設けられたサイディング５２、５３間には、図５に示すように壁面５１とサイディング５２、５３間に雨水が入り込まないように見切り材５４が設置される。
この見切り材５４は、その下方サイディング５３の上端にオーバーラップする覆い部５５を有し、施工時に生ずるサイディング５３の上端の不揃いを吸収して覆い隠すことができるよう構成されている。
また、この見切り材５４の上面と上方サイディング５２の下端間には湿式シーリング材５６が充填され、その間から雨水が浸入しないよう止水されている。
【０００３】
しかしながら、このような構造では、湿式シーリング材５６の処理に施工上のバラツキが生じると共に、図７に示すように見切り材５４の上方に位置するサイディング５２の下端の施工時に生ずる不揃いを覆い隠すことができないため、外観意匠を損なう問題があった。
また、壁面５１とサイディング５２との間に雨水が浸入した場合に、その雨水を水抜きすることができない問題があった。
【０００４】
一方、図６に示すように壁面５１への取付け面５７と緩い傾斜面５８とサイディング５３の外部に延長する垂直面５９とからなる断面Ｚ字形状の水切り材６０を、上下のサイディング５２、５３間における壁面５１に取り付け、この水切り材６０により壁面５１とサイディング５２との間に浸入した雨水を外部に排水できるようにすると共に、壁面５１とサイディング５３との間への雨水の浸入を阻止するようにしたものが、一部において実施されている。
【０００５】
しかしながら、このような構造によると、壁面５１とサイディング５２との間に浸入した雨水を水切り材６０により外部に排水することはできるものの、上下のサイディング５２、５３間に隙間６１が残ることになるため、外観上の見栄えを低下させると共に、前記例の場合と同様、水切り材６０の上方に位置するサイディング５２の下端の施工時に生ずる、図７に示すような不揃いを覆い隠すことができない問題があった。
【０００６】
【発明が解決しようとする課題】
本発明の課題は、壁面とサイディング間への雨水の浸入を阻止することができると共に、その間に浸入した雨水の水抜きができる排水機能を有する見切り材構造を提供することにある。
本発明のもう一つの課題は、壁面に対してサイディングを取り付け施工する際に生ずるサイディング端面の不揃いを覆い隠し、外観意匠を向上させることができる排水機能を有する見切り材構造を提供することにある。
【０００７】
【課題を解決するための手段】
上記した課題を解決するため、本発明にかかる排水機能を有する見切り材構造は、壁面に上下に間隔を置いて設けられたサイディング間に設置される見切り材構造において、前記壁面に対する取り付け面、同取り付け面に連なる傾斜面、及び同傾斜面に連なり、前記下方サイディングの上端外側にオーバーラップする見切り面を有し、前記上下サイディング間の前記壁面に取り付けられる水切り材と、同水切り材に取り付けられ、前記上方サイディングの下端外側にオーバーラップする見切り面を有する見切り材とを備え、前記水切り材の前記見切り面先端を内側に折り曲げた部分に前記下方サイディングの上端に嵌め込む凹部を設け、同凹部を前記下方サイディングの上端に嵌め込むと共に、前記壁面に適宜間隔で取り付けられ、その両端に上下に直角に折り曲げ形成された取り付け面を有する複数のＵ字形固定材に前記見切り材を取り付け、同Ｕ字形固定材の上方に折り曲げ形成された取り付け面に前記見切り材の見切り面の先端に鉤状に形成された係合面を係合させて、同見切り材を設置してなることを特徴とするもので、見切り材により上方サイディングの下端の不揃いを、また水切り材により下方サイディングの上端の不揃いをそれぞれ覆い隠すことできるため、外観の見栄えを向上させることができ、更に水切り材の傾斜面及び見切り面によって壁面と上方のサイディング間に浸入した雨水を外部に排出できると共に、壁面と下方のサイディング間への雨水の浸入を阻止することができる。
【０００８】
また、水切り材の見切り面先端の折り曲げ部分に設けた凹部を下方サイディングの上端に嵌め込むようにしているため、水切り材をしっかりと設置できると共に、見切り材を複数のＵ字形固定材を介して水切り材に取り付けるようにしているため、見切り材の見切り面内側に入った雨水をＵ字形固定材の間から水切り材の傾斜面上に落下させ、速やかに外部に排出することができる。
【０００９】
更に、本発明にかかる排水機能を有する見切り材構造は、壁面に上下に間隔を置いて設けられたサイディング間に設置される見切り材構造において、壁面に対する取り付け面、同取り付け面に連なる傾斜面、及び同傾斜面に連なり、前記下方サイディングの上端外側にオーバーラップする垂直面を有し、前記上方サイディングと間隔を有して前記取り付け面が前記上下サイディング間の壁面に取り付けられる水切り材と、中央部に設けられた凹部の両端側に、前記上下サイディングの上下端外側にそれぞれオーバーラップするように形成された見切り面を有する見切り材とを備え、同見切り材の上方の見切り面内側には止水材嵌めこみ部が設けられており、前記止水材嵌め込み部に嵌め込まれた止水材が前記上方サイディングの表面に圧接されるように、前記見切り材を前記凹部にてワッシャを介して前記水切り材の前記垂直面に取り付けてなることを特徴とするもので、見切り材両端の見切り面により上下サイディングの上下端の不揃いをそれぞれ覆い隠すことできるため、外観の見栄えを向上させることができると共に、上方サイディングの表面を伝う雨水を止水材によって止水し、見切り材表面を流下させてそのまま外部へ落下排出することができる。
【００１０】
更にまた、本発明にかかる排水機能を有する見切り材構造は、壁面に上下に間隔を置いて設けられたサイディング間に設置される見切り材構造において、前記壁面に対する取り付け面、同取り付け面に連なる傾斜面、及び同傾斜面に連なり、前記下方サイディングの上端外側にオーバーラップする垂直面を有し、前記上下サイディングと間隔を有して同上下サイディング間の前記壁面に止水ワッシャを介して取り付けられる水切り材と、中央部に設けられた凹部の両端側に、前記上下サイディングの上下端外側にそれぞれオーバーラップするように形成された見切り面を有する見切り材とを備え、前記見切り面と前記上下サイディングの表面間に隙間が形成されるように、前記見切り材を前記凹部にてワッシャを介して前記水切り材の前記垂直面に取り付けてなることを特徴とするもので、見切り材両端の見切り面により上下サイディングの上下端の不揃いをそれぞれ覆い隠すことできるため、外観の見栄えを向上させることができ、また止水ワッシャにより水切り材と壁面との間に隙間を形成して通気機能を持たせることができると共に、上方サイディング表面の雨水を壁面と上方のサイディング間に浸入した雨水とともに水切り材と見切り材間の隙間から外部に排出することができる。
【００１１】
【発明の実施の形態】
以下に本発明の実施の形態を図１乃至図４に基づいて説明する。
図１は本発明の第１の実施形態にかかる排水機能を有する見切り材構造の縦断面図、図２はその構成部材の分解斜視図（Ａ）と組付け斜視図（Ｂ）、図３は本発明の第２の実施形態にかかる排水機能を有する見切り材構造の縦断面図、図４は本発明の第３の実施形態にかかる排水機能を有する見切り材構造の縦断面図である。
【００１２】
第１の実施形態にかかる排水機能を有する見切り材構造は、図１、２に示すように建物の壁面１に対して、銅縁２を介して上下に間隔を置いて設けられたサイディング３、４の間に設置される水切り材５、見切り材６、及び見切り材６を取り付けるための複数のＵ字形固定材７から構成される。
水切り材５は、図２に示すように壁面１に対する取り付け面８と、この取り付け面８に連なる緩い傾斜面９と、傾斜面９に連なる見切り面１０とを有し、更に見切り面１０は下方に位置するサイディング４の上端外側にオーバーラップする長さ寸法を有すると共に、その先端を内側に折り曲げて下方サイディング４の上端に嵌め込む凹部１１を設け、この凹部１１を下方サイディング４の上端に嵌め込むことにより取り付けられるよう構成されている。
【００１３】
また、見切り材６は、上方に位置するサイディング３の下端外側にオーバーラップして同下端を覆い隠す見切り面１２を有すると共に、その上方側先端に鉤状に折り曲げ形成された係合面１３、下方端に内側に折り曲げ形成された取り付け面１４を有している。
更に、Ｕ字形固定材７は、Ｕ字形でその両先端に上下に直角に折り曲げ形成された、見切り材６を取り付けるための取り付け面１５、１６を有している。
【００１４】
しかして、水切り材５は、その下方の折り曲げ部分に設られた凹部１１を下方サイディング４の上端に嵌め込むと共に、上方の取り付け面８を壁面１に対して釘又はネジ１７にて固定することによって、上下のサイディング３、４の間に設置される。
この水切り材５の取り付け面８上から複数のＵ字形固定材７を、適宜の間隔でその側面を上方のサイディング３の下端面に当接させた状態で、水切り材５の取り付け面８及び壁面１に対してネジ１８にて固定設置する。
【００１５】
次に、このＵ字形固定材７に対して、その上方に折り曲げ形成された取り付け面１５に見切り材６の係合面１３を係合させ、また下方に折り曲げ形成された取り付け面１６に見切り材６の下方に折り曲げ形成された取り付け面１４をネジ１９にて固定することにより、見切り材６をＵ字形固定材７を介して水切り材５と一体的に上下のサイディング３、４間に設置している。
【００１６】
このように構成された第１の実施形態によると、上方のサイディング３の下端の施工時の不揃いを見切り材６の見切り面１２により覆い隠すことができると共に、下方のサイディング４の上端の施工時の不揃いを水切り材５の見切り面１０により覆い隠すことができ、しかも湿式シーリング処理をなくすることができるため、外観の見栄えを向上させることができる。
【００１７】
また、上方のサイディング３と壁面１間に浸入した雨水及び上方のサイディング３と見切り材６間に浸入した雨水を、それぞれ矢印Ａ及び矢印Ｂで示すように水切り材５の傾斜面９上に排水し、これを傾斜面９に連なる見切り面１０を経て外部に排出することができるため、浸入した雨水の水抜きができると共に、水切り材５によって下方のサイディング４と壁面１間への雨水の浸入を阻止することができる。
【００１８】
つぎに、図３に示す第２の実施形態について説明する。
この実施形態は、上下のサイディング３、４間における壁面１に水切り材２０を取り付け、この水切り材２０に対しワッシャ２１を介して見切り材２２をネジ２３により取り付けたものである。
水切り材２０は、壁面１に対する取り付け面２４と、この取り付け面２４に連なる緩い傾斜面２５と、傾斜面２５に連なる垂直面２６とを有する断面略Ｚ字状に形成されている。
【００１９】
一方、見切り材２２は、中央部に凹部２７を有すると共に、その両端側にそれぞれ上下のサイディング３、４の上下端外側にオーバーラップするよう折り曲げ形成された見切り面２８、２９を有し、更に上方の見切り面２８の内側に止水材３０を嵌め込み装着するための嵌め込み部３１を設け、この嵌め込み部３１に止水材３０を嵌め込み装着し、止水材３０を上方サイディング３の表面に圧接することによって、上方サイディング３の表面と見切り材２２との間を止水できるよう構成している。
【００２０】
しかして、この実施形態によると、見切り材２２の上端側の見切り面２８が上方サイディング３の下端外側にオーバーラップし、また下端側の見切り面２９が下方サイディング４の上端外側にオーバーラップするよう構成されているため、上方サイディング３の下端及び下方サイディング４の上端の施工時に生ずる不揃いを見切り材２２により覆い隠し、外観意匠を向上させることができる。
【００２１】
また、上方のサイディング３と壁面１との間に浸入した雨水を、矢印Ｃで示すように水切り材２０の傾斜面２５に導き、それを垂直面２６と見切り材２２との間の隙間から外部に排出することができるため、浸入した雨水の水抜きができると共に、水切り材２０によって下方のサイディング４と壁面１間への雨水の浸入を阻止することができる。
なお、上方サイディング３の表面を伝った雨水は、止水材３０によって止水され、見切り材２２の表面を流下してそのまま外部に滴下される。
【００２２】
更に、図４には、第３の実施形態が示されている。
この実施形態は、上記した第２の実施形態と略同様の構成であって、上下のサイディング３、４間における壁面１に取り付け面３３、傾斜面３４及び垂直面３５からなる水切り材３２を取り付けると共に、この水切り材３２に対しワッシャ３６を介して中央部に凹部３８、その両端側にそれぞれ上下のサイディング３、４の上下端外側にオーバーラップするよう折り曲げ形成された見切り面３９、４０を有する見切り材３７をネジ４１により取り付けて構成したものである。
【００２３】
但し、この実施形態では、水切り材３２を止水ワッシャ４２を介してネジ４３により壁面１に取り付け、水切り材３２の取り付け面３３と壁面１との間に隙間を形成するようにしていると共に、見切り材３７に取り付ける止水材３０を廃止し、上方サイディング３の表面と見切り材３７との間を止水せず、この間に隙間を形成し、この隙間から浸入した雨水を上方サイディング３と壁面１との間に浸入した雨水とともに、矢印Ｄで示すように水切り材３２の垂直面３５と見切り材３７間の隙間から外部に排出するするようにしている。
【００２４】
従って、この実施形態によると、上記した第２の実施形態と同様、上下サイディング３、４の上下端の施工時に生ずる不揃いを見切り材３７によって覆い隠すことができるため、外観意匠を向上させることができる。
また、上方のサイディング３と壁面１間に浸入した雨水の水抜きができると共に、水切り材３２によって下方のサイディング４と壁面１間への雨水の浸入を阻止することができ、更には水切り材３２の取り付け面３３と壁面１との間に隙間を形成しているため、壁面１の通気性を確保することができる。
【００２５】
【発明の効果】
以上に説明したように、本発明にかかる排水機能を有する見切り材構造によると、水切り材によって壁面とサイディング間に浸入した雨水を水抜きすることができると共に、壁面とサイディング間への雨水の浸入を阻止することができる。また、水切り材に取り付けられた見切り材により壁面に対してサイディングを取り付け施工する際に生ずるサイディング端面の不揃いを覆い隠すことができるため、外観意匠を向上させ、見栄えをよくすることができる。
【図面の簡単な説明】
【図１】本発明の第１の実施形態にかかる排水機能を有する見切り材構造の縦断面図である。
【図２】本発明の第１の実施形態にかかる排水機能を有する見切り材構造の構成部材の分解斜視図（Ａ）と組付け斜視図（Ｂ）である。
【図３】本発明の第２の実施形態にかかる排水機能を有する見切り材構造の縦断面図である。
【図４】本発明の第３の実施形態にかかる排水機能を有する見切り材構造の縦断面図である。
【図５】従来の見切り材構造を示す縦断面図である。
【図６】従来の他の見切り材構造を示す縦断面図である。
【図７】従来の見切り材構造による上方サイディングの下端の施工時に生ずる不揃い状態を示す外観図である。
【符号の説明】
１  壁面
３  上方のサイディング
４  下方のサイディング
５、２０、３２  水切り材
６、２２、３７  見切り材
７  Ｕ字形固定材
８、２４、３３  取り付け面
９、２５、３４  傾斜面
１０、１２、２８、２９、３９、４０  見切り面
１１  凹部
１３  係合面
１４  取り付け面
１５、１６  取り付け面
２６、３５  垂直面
２７、３８  凹部
３０  止水材
３１  嵌め込み部
４２  止水ワッシャ
【図１】
0003808147.tif 000002
【図２】
0003808147.tif 000003
【図３】
0003808147.tif 000004
【図４】
0003808147.tif 000005
【図５】
0003808147.tif 000006
【図６】
0003808147.tif 000007
【図７】
0003808147.tif 000008